(57)【要約】【課題】  粘着テープや金具などを使用せずに、底部の閉塞状態を強固に維持することができる。【解決手段】  この発明は、４枚の側板２１〜２４および１枚の糊代板２５と、４枚の天面用蓋板３１〜３４および４枚の底面用蓋板４１〜４４と、を備える。底面用蓋板４１〜４４は、重合部４１０、４３０と、差込部４１１と、差込受部４３１と、挿入受部４１４、４３３と、挿入部４２１、４４１と、を有する。この発明は、重合部４１０、４３０を重ね合わせ、差込部４１１を差込受部４３１に差し込み、挿入部４２１、４４１を挿入受部４１４、４３３に挿入する。この結果、この発明は、粘着テープや金具などを使用せずに、底部の閉塞状態を強固に維持することができる。【選択図】        図１
2017100801.tif 000002
【特許請求の範囲】
【請求項１】
折曲線を介して連続して設けられている４枚の側板および１枚の糊代板と、
４枚の前記側板の両縁にそれぞれ折曲線を介して連続して設けられている４枚の天面用蓋板および４枚の底面用蓋板と、
を備え、
４枚の前記底面用蓋板のうち箱に組み立てた時に相互に対向する２枚の前記底面用蓋板は、
相互に重なり合う重合部と、
一方の前記重合部の一部に切線を介して設けられていて、他方の前記重合部の一部のうち一方の前記重合部が重なり合う側に対して反対側に差し込まれる差込部と、
前記重合部以外の箇所に切線を介して設けられている挿入受部と、
を有し、
４枚の前記底面用蓋板のうち箱に組み立てた時に相互に対向する残りの２枚の前記底面用蓋板は、前記挿入受部と前記重合部以外の箇所との間に挿入される挿入部を有する、
ことを特徴とする段ボール箱用シート。
【請求項２】
前記挿入受部の前記切線の切断面と、前記挿入部の挿入方向に対して交差する方向側の端面とは、箱に組み立てた時に相互に当接して相互にずれるのを防止するずれ防止部を構成する、
ことを特徴とする請求項１に記載の段ボール箱用シート。
【請求項３】
前記挿入受部の前記切線の切断面もしくは前記挿入部の挿入側端部のうち少なくとも一方には、挿入用のガイドが設けられている、
ことを特徴とする請求項１または２に記載の段ボール箱用シート。
【請求項４】
前記差込部は、一方の前記重合部の両端部にそれぞれ設けられていて、
前記挿入受部は、２枚の前記底面用蓋板にそれぞれ２個ずつ設けられていて、
前記挿入部は、残りの２枚の前記底面用蓋板にそれぞれ２個ずつ設けられている、
ことを特徴とする請求項１〜３のいずれか１項に記載の段ボール箱用シート。
【請求項５】
４枚の前記天面用蓋板は、前記請求項１〜４のいずれか１項に記載の４枚の前記底面用蓋板と同様の構成からなる、
ことを特徴とする段ボール箱用シート。
【請求項６】
前記請求項１〜５のいずれか１項に記載の段ボール箱用シートを箱に組み立てて構成されている、
ことを特徴とする段ボール箱。
【請求項７】
折曲線を介して連続して設けられている４枚の側板および１枚の糊代板と、
４枚の前記側板の両縁にそれぞれ折曲線を介して連続して設けられている４枚の天面用蓋板および４枚の底面用蓋板と、
を備え、
４枚の前記底面用蓋板のうち箱に組み立てた時に相互に対向する２枚の前記底面用蓋板は、切線を介して設けられている挿入受部を有し、
４枚の前記底面用蓋板のうち箱に組み立てた時に相互に対向する残りの２枚の前記底面用蓋板は、前記挿入受部と前記挿入受部を有する前記底面用蓋板との間に挿入される挿入部を有し、
前記天面用蓋板は、切取線を介して切取可能に設けられていて、箱に組み立てた時に切り取られて４枚の前記底面用蓋板により形成された底部の内側に載置される補強板を有する、
ことを特徴とする段ボール箱用シート。
【請求項８】
前記挿入受部を有する２枚の前記底面用蓋板の幅方向の長さの和と、前記挿入部を有する１枚の前記底面用蓋板の流れ方向の長さとは、同等もしくはほぼ同等であり、
前記補強板は、箱に組み立てた時に前記底部の内側に前記挿入受部を有する２枚の前記底面用蓋板を跨いだ状態で載置される、
ことを特徴とする請求項７に記載の段ボール箱用シート。
【請求項９】
箱に組み立てた時に相互に対向する２枚の前記底面用蓋板の前記挿入受部の間の寸法と、前記補強板の一部の幅とは、同等もしくはほぼ同等である、
ことを特徴とする請求項７または８に記載の段ボール箱用シート。
【請求項１０】
前記請求項７〜９のいずれか１項に記載の段ボール箱用シートを箱に組み立てて構成されている、
ことを特徴とする段ボール箱。
【発明の詳細な説明】
【技術分野】
【０００１】
この発明は、段ボール箱用シートおよび段ボール箱（以下、「段ボール箱用シート、段ボール箱」と称する）に関するものである。
【背景技術】
【０００２】
段ボール箱用シート、段ボール箱は、従来からある（たとえば、特許文献１）。従来の段ボール箱は、底部外フラップの舌片を底部内フラップの挿入切込から底部内フラップの内側に挿入することにより、舌片の内面側に底部内フラップから遊離した遊離片が重合されるものである。
従来の段ボール箱は、内部に収納部を収納すると、遊離片が下方に押され、それに伴って舌片が下方に撓んで、舌片の係止切込が上下にずれて遊離片の突部が舌片に没入するものである。これにより、従来の段ボール箱は、遊離片の突部が係止切込に係止され、舌片を挿入切込からの抜け方向に規制するものである。
【先行技術文献】
【特許文献】
【０００３】
【特許文献１】特開２００４−１５５４３８号公報
【発明の概要】
【発明が解決しようとする課題】
【０００４】
かかる段ボール箱用シート、段ボール箱においては、粘着テープや金具などを使用せずに、底部の閉塞状態を強固に維持することが重要である。
【０００５】
この発明が解決しようとする課題は、粘着テープや金具などを使用せずに、底部の閉塞状態を強固に維持することができる段ボール箱用シート、段ボール箱を提供することにある。
【課題を解決するための手段】
【０００６】
この発明の一の段ボール箱用シートは、折曲線を介して連続して設けられている４枚の側板および１枚の糊代板と、４枚の側板の両縁にそれぞれ折曲線を介して連続して設けられている４枚の天面用蓋板および４枚の底面用蓋板と、を備え、４枚の底面用蓋板のうち箱に組み立てた時に相互に対向する２枚の底面用蓋板が、相互に重なり合う重合部と、一方の重合部の一部に切線を介して設けられていて、他方の重合部の一部のうち一方の重合部が重なり合う側に対して反対側に差し込まれる差込部と、重合部以外の箇所に切線を介して設けられている挿入受部と、を有し、４枚の底面用蓋板のうち箱に組み立てた時に相互に対向する残りの２枚の底面用蓋板が、挿入受部と重合部以外の箇所との間に挿入される挿入部を有する、ことを特徴とする。
【０００７】
この発明の一の段ボール箱用シートは、挿入受部の切線の切断面と、挿入部の挿入方向に対して交差する方向側の端面とが、箱に組み立てた時に相互に当接して相互にずれるのを防止するずれ防止部を構成する、ことを特徴とする。
【０００８】
この発明の一の段ボール箱用シートは、挿入受部の切線の切断面もしくは挿入部の挿入側端部のうち少なくとも一方には、挿入用のガイドが設けられている、ことを特徴とする。
【０００９】
この発明の一の段ボール箱用シートは、差込部が、一方の重合部の両端部にそれぞれ設けられていて、挿入受部が、２枚の底面用蓋板にそれぞれ２個ずつ設けられていて、挿入部が、残りの２枚の底面用蓋板にそれぞれ２個ずつ設けられている、ことを特徴とする。
【００１０】
この発明の一の段ボール箱用シートは、４枚の天面用蓋板が、前記の各この発明の一の段ボール箱用シートの４枚の底面用蓋板と同様の構成からなる、ことを特徴とする。
【００１１】
この発明の一の段ボール箱は、前記の各この発明の一の段ボール箱用シートを箱に組み立てて構成されている、ことを特徴とする。
【００１２】
この発明の他の段ボール箱用シートは、折曲線を介して連続して設けられている４枚の側板および１枚の糊代板と、４枚の側板の両縁にそれぞれ折曲線を介して連続して設けられている４枚の天面用蓋板および４枚の底面用蓋板と、を備え、４枚の底面用蓋板のうち箱に組み立てた時に相互に対向する２枚の底面用蓋板が、切線を介して設けられている挿入受部を有し、４枚の底面用蓋板のうち箱に組み立てた時に相互に対向する残りの２枚の底面用蓋板が、挿入受部と挿入受部を有する底面用蓋板との間に挿入される挿入部を有し、天面用蓋板が、切取線を介して切取可能に設けられていて、箱に組み立てた時に切り取られて４枚の底面用蓋板により形成された底部の内側に載置される補強板を有する、ことを特徴とする。
【００１３】
この発明の他の段ボール箱用シートは、挿入受部を有する２枚の底面用蓋板の幅方向の長さの和と、挿入部を有する１枚の底面用蓋板の流れ方向の長さとが、同等もしくはほぼ同等であり、補強板が、箱に組み立てた時に底部の内側に挿入受部を有する２枚の底面用蓋板を跨いだ状態で載置される、ことを特徴とする。
【００１４】
この発明の他の段ボール箱用シートは、箱に組み立てた時に相互に対向する２枚の底面用蓋板の挿入受部の間の寸法と、補強板の一部の幅とが、同等もしくはほぼ同等である、ことを特徴とする。
【００１５】
この発明の他の段ボール箱は、前記の各この発明の他の段ボール箱用シートを箱に組み立てて構成されている、ことを特徴とする。
【発明の効果】
【００１６】
この発明の段ボール箱用シート、段ボール箱は、粘着テープや金具などを使用せずに、底部の閉塞状態を強固に維持することができる。
【図面の簡単な説明】
【００１７】
【図１】図１は、この発明にかかる段ボール箱用シート、段ボール箱の実施形態１を示す展開図である。
【図２】図２は、側板に糊代板を接着して四角筒形状に組み立てた状態を示す底側の斜視図である。
【図３】図３は、底部を組み立てた状態を示す底側の斜視図である。
【図４】図４は、天部を組み立てた状態を示す天側の斜視図である。
【図５】図５は、側板に糊代板を接着して四角筒形状に組み立てた状態を示す底面図（図２におけるＶ矢視図）である。
【図６】図６は、第３底面用蓋板を９０°に折り曲げた状態を示す底面図（図２におけるＶ矢視図）である。
【図７】図７は、第１底面用蓋板を折り曲げている状態を示す底面図（図２におけるＶ矢視図）である。
【図８】図８は、第１底面用蓋板を９０°に折り曲げた状態を示す底面図（図２におけるＶ矢視図）である。
【図９】図９は、第２底面用蓋板および第４底面用蓋板を折り曲げている状態を示す底面図（図２におけるＶ矢視図）である。
【図１０】図１０は、第２底面用蓋板および第４底面用蓋板を９０°に折り曲げて底部を組み立てた状態を示す底面図（図３におけるＸ矢視図）である。
【図１１】図１１は、底部を組み立てた状態を示す平面図（図３におけるＸＩ矢視図）である。
【図１２】図１２は、図８におけるＸＩＩ−ＸＩＩ線断面図である。
【図１３】図１３は、図８におけるＸＩＩＩ−ＸＩＩＩ線断面図である。
【図１４】図１４は、図１０におけるＸＩＶ−ＸＩＶ線断面図である。
【図１５】図１５は、図１０におけるＸＶ−ＸＶ線断面図である。
【図１６】図１６は、図１０におけるＸＶＩ−ＸＶＩ線断面図である。
【図１７】図１７は、この発明にかかる段ボール箱用シート、段ボール箱の実施形態２を示す展開図である。
【図１８】図１８は、天部を組み立てた状態を示す天側の斜視図である。
【図１９】図１９は、底部を組み立てた状態を示す平面図である。
【図２０】図２０は、組み立てた底部に補強板が載置されている状態を示す平面図である。
【発明を実施するための形態】
【００１８】
以下、この発明にかかる段ボール箱用シート、段ボール箱の実施形態の２例を図面に基づいて詳細に説明する。
【００１９】
（実施形態１の構成の説明）
図１〜図１６は、この発明にかかる段ボール箱用シート、段ボール箱の実施形態１を示す。以下、この実施形態１にかかる段ボール箱用シート、段ボール箱の構成について説明する。
【００２０】
図１において、符号１は、この実施形態１にかかる段ボール箱用シートであって、Ａ式段ボール箱用シートである。図４において、符号１００は、この実施形態１にかかる段ボール箱であって、Ａ式段ボール箱である。段ボール箱１００は、１枚の段ボール箱用シート１を箱形状に組み立ててなるものである。
なお、図１は、外側（段ボール箱用シート１を段ボール箱１００に組み立てた時の外側）から見た展開図である。なお、内側は、段ボール箱用シート１を段ボール箱１００に組み立てた時の内側である。
【００２１】
段ボール箱用シート１は、段ボールから製造されている。段ボールは、表裏２枚のライナー（平面状原紙）と、２枚のライナーの間に貼り合わせられた中芯（波状原紙）と、から製造されている。段ボールが所定の幅および長さ（流れ方向の長さ）にカットされて原版が製造される。なお、図１において、符号「Ｘ」は、段ボールの製造の流れ方向である。符号「Ｗ」は、段ボールの幅方向である。
【００２２】
（段ボール箱用シート１の説明）
段ボール箱用シート１は、原版から、罫線（折曲線）入れ加工、溝切り加工、型抜き加工などを経て、幅方向Ｗにおいて複数枚製造されている。段ボール箱用シート１は、４枚の側板２１、２２、２３、２４および１枚の糊代板２５と、４枚の天面用蓋板３１、３２、３３、３４および４枚の底面用蓋板４１、４２、４３、４４と、を備える。
【００２３】
４枚の側板２１〜２４および１枚の糊代板２５は、折曲線５２を介して流れ方向Ｘに連続して設けられている。４枚の天面用蓋板３１〜３４および４枚の底面用蓋板４１〜４４は、４枚の側板２１〜２４の両縁にそれぞれ折曲線５３、５４を介して幅方向Ｗに連続して設けられている。
４枚の天面用蓋板３１〜３４の３本の境界線上には、溝５５がそれぞれ設けられている。同じく、４枚の底面用蓋板４１〜４４の３本の境界線上には、溝５６がそれぞれ設けられている。
【００２４】
４枚の側板２１〜２４は、段ボール箱用シート１を箱に組み立てた時に、相互に対向する２枚の側板が２組構成される。一方の組の２枚の側板２１、２３は、箱の長さ面の側板である。他方の組の２枚の側板２２、２４は、箱の幅面の側板である。
長さ面の側板２１、２３の流れ方向Ｘの長さＸ１は、幅面の側板２２、２４の流れ方向Ｘの長さＸ２よりも長い。４枚の側板２１〜２４の幅方向Ｗの長さ（幅）Ｗ２は、箱の深さである。以下、４枚の側板を、第１側板２１、第２側板２２、第３側板２３、第４側板２４と称する。
【００２５】
４枚の天面用蓋板３１〜３４は、段ボール箱用シート１を箱に組み立てた時に、相互に対向する２枚の天面用蓋板が２組構成される。一方の組の２枚の天面用蓋板３１、３３は、箱の内フラップである。他方の組の２枚の天面用蓋板３２、３４は、箱の外フラップである。
内フラップの天面用蓋板３１、３３の流れ方向Ｘの長さＸ１は、外フラップの天面用蓋板３２、３４の流れ方向Ｘの長さＸ２よりも長い。４枚の天面用蓋板３１〜３４の幅方向Ｗの長さ（幅）Ｗ３は、幅面の側板２２、２４の流れ方向Ｘの長さＸ２の半分もしくはほぼ半分である。以下、４枚の天面用蓋板を、第１天面用蓋板３１、第２天面用蓋板３２、第３天面用蓋板３３、第４天面用蓋板３４と称する。
【００２６】
４枚の底面用蓋板４１〜４４は、段ボール箱用シート１を箱に組み立てた時に、相互に対向する２枚の底面用蓋板が２組構成される。一方の組の２枚の底面用蓋板４１、４３は、箱の内フラップである。他方の組の２枚の底面用蓋板４２、４４は、箱の外フラップである。
内フラップの底面用蓋板４１、４３の流れ方向Ｘの長さＸ１は、外フラップの底面用蓋板４２、４４の流れ方向Ｘの長さＸ２よりも長い。４枚の底面用蓋板４１〜４４の幅方向Ｗの長さ（幅）Ｗ４は、４枚の天面用蓋板３１〜３４の幅方向Ｗの長さＷ３に長さ（幅）Ｗ１を足した長さである。以下、４枚の底面用蓋板を、第１底面用蓋板４１、第２底面用蓋板４２、第３底面用蓋板４３、第４底面用蓋板４４と称する。
【００２７】
内フラップの一方の第１底面用蓋板４１は、重合部４１０と、差込部４１１と、挿入受部４１４と、を有する。内フラップの他方の第３底面用蓋板４３は、重合部４３０と、差込受部４３１と、挿入受部４３３と、を有する。
【００２８】
重合部４１０、４３０は、図１に示すように、第１底面用蓋板４１、第３底面用蓋板４３の第１側板２１、第３側板２３に対して反対側の縁部に設けられている。重合部４１０、４３０は、図１２に示すように、第１底面用蓋板４１と第３底面用蓋板４３とを、折曲線５４に沿って折り曲げた時に、相互に重なり合う。
重合部４１０、４３０の重合幅（図１において、実線と二点鎖線との間の幅、図１２において、２本の一点鎖線の間の幅）は、幅方向Ｗの長さＷ１であって、この例では、約１６ｍｍである。重合部４１０、４３０の重合幅Ｗ１は、重合強度と、原版から段ボール箱用シート１を複数枚製造する時の歩留りの良さと、に基づいて決める。
【００２９】
差込部４１１は、重合部４１０の両端部にそれぞれ切線４１２および折曲線４１３を介して設けられている。差込受部４３１は、重合部４３０の両端部に溝４３２を介して設けられている。差込部４１１の幅方向Ｗの長さは、重合部４１０の重合幅Ｗ１と同等もしくはほぼ同等である。差込受部４３１の幅方向Ｗの長さは、重合部４１０の重合幅Ｗ１よりも短い。
図１３に示すように、差込部４１１は、差込受部４３１のうち、一方の重合部４１０が他方の重合部４３０に重なり合う側（図１２を参照）に対して反対側に差し込まれる。
【００３０】
挿入受部４１４、４３３は、第１底面用蓋板４１、第３底面用蓋板４３の両端部分うち、重合部４１０、４３０以外の箇所に切線４１５、４３４、折曲線４１６、４３５を介してそれぞれ２個ずつ設けられている。挿入受部４１４、４３３は、コの字形状の切線４１５、４３４と直線形状の折曲線４１６、４３５とにより長方形形状をなす。
【００３１】
外フラップの底面用蓋板４２、４４は、挿入部４２１、４４１を有する。挿入部４２１、４４１は、図１に示すように、凹部４２０、４４０を介して、第２底面用蓋板４２、第４底面用蓋板４４の第２側板２２、第４側板２４に対して反対側の縁部の両端部分にそれぞれ２個ずつ設けられている。
【００３２】
挿入部４２１、４４１の挿入側端部には、挿入用のガイド４２２、４２３、４４２、４４３が設けられている。ガイド４２２、４２３、４４２、４４３は、挿入部４２１、４４１の挿入側端部の溝５６および凹部４２０、４４０において、先端に行くに従って幅が狭くなるように、傾斜して設けられている。
【００３３】
外フラップの底面用蓋板４２、４４の挿入部４２１、４４１と折曲線５４との間には、折曲線５８が折曲線５４と平行もしくはほぼ平行に設けられている。
【００３４】
内フラップの天面用蓋板３１、３３は、挿入受部３１０、３３０を有する。挿入受部３１０、３３０は、第１天面用蓋板３１、第３天面用蓋板３３の両端部分うち、折曲線５３寄りの箇所に切線３１１、３３１、折曲線３１２、３３２を介してそれぞれ２個ずつ設けられている。挿入受部３１０、３３０は、コの字形状の切線３１１、３３１と直線形状の折曲線３１２、３３２とにより長方形形状をなす。
【００３５】
外フラップの天面用蓋板３２、３４は、挿入部３２１、３４１を有する。挿入部３２１、３４１は、図１に示すように、２本の溝３２０、３４０を介して、第２天面用蓋板３２、第４天面用蓋板３４の第２側板２２、第４側板２４に対して反対側の縁部の両端部分にそれぞれ２個ずつ設けられている。
【００３６】
挿入部３２１、３４１の挿入側端部には、挿入用のガイドが、挿入部３２１、３４１の挿入側端部の溝５５および溝３２０、３４０において、先端に行くに従って幅が狭くなるように、傾斜して設けられている。外フラップの天面用蓋板３２、３４の挿入部３２１、３４１と折曲線５３との間には、折曲線５７が折曲線５３と平行もしくはほぼ平行に設けられている。
【００３７】
（段ボール箱１００の組立工程の説明）
以下、図１に示す段ボール箱用シート１を用いて、図４に示す段ボール箱１００に組み立てる工程について説明する。
【００３８】
４枚の各側板２１〜２４と１枚の糊代板２５とを、４本の折曲線５２において、それぞれ内側に９０°折り曲げる。次に、第４側板２４の縁部の内面に糊代板２５の外面を接着する。それから、図２、図５に示すように、段ボール箱用シート１を四角筒形状に組み立てる。これにより、段ボール箱１００の胴部（側部）２が形成される。なお、図２においては、構造が理解できるように、４枚の底面用蓋板４１〜４４を外側に開いた状態で示されている。
【００３９】
続いて、図５、図６に示すように、第３底面用蓋板４３を内側に９０°折り曲げる（図５中の実線矢印を参照）。次に、図６〜図８に示すように、第１底面用蓋板４１を内側に９０°折り曲げる（図６、図７中の実線矢印を参照）。この時、図１２に示すように、第１底面用蓋板４１の重合部４１０の内側面を第３底面用蓋板４３の重合部４３０の外側面に重ね合わせる。
また、図１３に示すように、第１底面用蓋板４１の差込部４１１を、切線４１２で重合部４１０から切り離し、かつ、折曲線４１３で内側に折り曲げる。それから、第１底面用蓋板４１の差込部４１１を第３底面用蓋板４３の差込受部４３１の内側（すなわち、第１底面用蓋板４１の重合部４１０の内側が重なり合う第３底面用蓋板４３の重合部４３０の外側に対して反対側）に差し込む。
【００４０】
続いて、図８、図９中の実線矢印に示すように、第２底面用蓋板４２、第４底面用蓋板４４を２本の折曲線５４、５８で内側に折り曲げる。また、図１０、図１１に示すように、第２底面用蓋板４２、第４底面用蓋板４４を内側に９０°折り曲げる。
【００４１】
この時、図１５、図１６に示すように、第１底面用蓋板４１の挿入受部４１４、第３底面用蓋板４３の挿入受部４３３を、切線４１５、４３４で重合部４１０、４３０以外の箇所から切り離し、かつ、折曲線４１６、４３５で内側に折り曲げる。また、図９〜図１１、図１５、図１６に示すように、第２底面用蓋板４２の挿入部４２１、第４底面用蓋板４４の挿入部４４１を、切線４１５、４３４から、第１底面用蓋板４１の挿入受部４１４と重合部４１０以外の箇所（第１底面用蓋板４１）との間、第３底面用蓋板４３の挿入受部４３３と重合部４３０以外の箇所（第３底面用蓋板４３）との間に、それぞれ挿入する。これにより、段ボール箱１００の底部４が形成される。
ここで、第１底面用蓋板４１および第３底面用蓋板４３の折曲方向（図５〜図７中の実線矢印方向）と、第２底面用蓋板４２および第４底面用蓋板４４の折曲方向（図８、図９中の実線矢印方向）とは、直交もしくはほぼ直交している。
【００４２】
そして、図１０、図１４に示すように、第１底面用蓋板４１の挿入受部４１４の切線４１５の切断面４１７と、挿入部４２１、４４１の挿入方向に対して交差する方向（たとえば、挿入方向に対して直交もしくはほぼ直交する方向）側の端面４２４、４４４とは、相互に当接する。切断面４１７と端面４２４、４４４とは、挿入部４２１、４４１の挿入方向に対して交差する方向に、相互にずれるのを防止するずれ防止部を構成する。
【００４３】
前記の工程により底部４が形成された段ボール箱１００の内部に収納物（図示せず）を収納する。それから、図４に示すように、第１天面用蓋板３１、第３天面用蓋板３３を内側に９０°折り曲げる。この時、図１に示すように、第１天面用蓋板３１、第３天面用蓋板３３の幅方向Ｗの長さＷ３は、第２側板２２、第４側板２４の流れ方向Ｘの長さＸ２の半分もしくはほぼ半分である。このために、内側に９０°折り曲げた第１天面用蓋板３１と第３天面用蓋板３３とは、重なり合わず、突き合わせられて、平もしくはほぼ平となる。
【００４４】
続いて、第２天面用蓋板３２、第４天面用蓋板３４を、折曲線５７で内側に折り曲げ、かつ、折曲線５３で内側に９０°折り曲げる。この時、第１天面用蓋板３１の挿入受部３１０、第３天面用蓋板３３の挿入受部３３０を、切線３１１、３３１で第１天面用蓋板３１、第３天面用蓋板３３から切り離し、かつ、折曲線３１２、３３２で内側に折り曲げる。また、挿入部４２１、挿入部４４１を、切線４１５、４３４から、挿入受部３１０、３３０と第１天面用蓋板３１、第３天面用蓋板３３との間に、それぞれ挿入する。これにより、段ボール箱１００の天部３が形成される。
【００４５】
以上の工程により、図１に示す段ボール箱用シート１は、収納物を収納した状態で、図４に示す段ボール箱１００に組み立てられる。
【００４６】
（実施形態１の効果の説明）
この実施形態１にかかる段ボール箱用シート１、段ボール箱１００は、以上のごとき構成からなり、以下、その効果について説明する。
【００４７】
この実施形態１にかかる段ボール箱用シート１、段ボール箱１００は、粘着テープや金具などを使用せずに、底部４の閉塞状態を強固に維持することができる。以下、詳細に説明する。
【００４８】
この実施形態１にかかる段ボール箱用シート１、段ボール箱１００は、図１２〜図１６中の白抜き矢印に示すように、収納物の重量が段ボール箱１００の底部４にかかる。この時、第１底面用蓋板４１、第３底面用蓋板４３の折曲方向（図５〜図７中の実線矢印方向）と第２底面用蓋板４２、第４底面用蓋板４４の折曲方向（図８、図９中の実線矢印方向）とは、直交もしくはほぼ直交している。
このために、第２底面用蓋板４２、第４底面用蓋板４４が、挿入部４２１、４４１を介して、第１底面用蓋板４１および第３底面用蓋板４３が外側に開くのを防ぐ。この結果、段ボール箱１００の底部４は、閉塞状態を維持することができる。
【００４９】
特に、この実施形態１にかかる段ボール箱用シート１、段ボール箱１００は、図１２に示すように、第１底面用蓋板４１の重合部４１０の内側面と第３底面用蓋板４３の重合部４３０の外側面とが重合幅Ｗ１で相互に重ね合わせられている。また、この実施形態１にかかる段ボール箱用シート１、段ボール箱１００は、図１３に示すように、第１底面用蓋板４１の差込部４１１の外側が第３底面用蓋板４３の差込受部４３１の内側（すなわち、第１底面用蓋板４１の重合部４１０の内側が重なり合う第３底面用蓋板４３の重合部４３０の外側に対して反対側）に当接する。
この結果、この実施形態１にかかる段ボール箱用シート１、段ボール箱１００は、第１底面用蓋板と第３底面用蓋板とが重なり合わずに突き合わせられている段ボール箱用シート、段ボール箱、あるいは、第１底面用蓋板と第３底面用蓋板とがただ単に重なり合っている段ボール箱用シート、段ボール箱と比較して、段ボール箱１００の底部４の閉塞状態を強固に維持することができる。
【００５０】
これにより、この実施形態１にかかる段ボール箱用シート１、段ボール箱１００は、重重量の収納物（たとえば、１０ｋｇ以上の果物や野菜など）を収納した状態で搬送することができる。しかも、この実施形態１にかかる段ボール箱用シート１、段ボール箱１００は、収納物に含む水分もしくは収納物に付着した水分（たとえば、大根などの野菜に含む水分もしくは付着した水分）により、段ボールが劣化したとしても、段ボール箱１００の底部４の閉塞状態を維持することができ、底部４の底抜け変形などを防止することができる。
【００５１】
この実施形態１にかかる段ボール箱用シート１、段ボール箱１００は、粘着テープや金具などを使用せずに、底部４の閉塞状態を強固に維持することができる。このために、この実施形態１にかかる段ボール箱用シート１、段ボール箱１００は、組立や分解や廃棄作業などを簡単にかつ安全に行うことができる。しかも、この実施形態１にかかる段ボール箱用シート１、段ボール箱１００は、粘着テープや金具などを使用しないので、段ボールのみの廃棄となり、環境に良い。
【００５２】
この実施形態１にかかる段ボール箱用シート１、段ボール箱１００は、図１０、図１４に示すように、第１底面用蓋板４１の挿入受部４１４の切線４１５の切断面４１７と、第２底面用蓋板４２、第４底面用蓋板４４の挿入部４２１、４４１の挿入方向に対して交差する方向側の端面４２４、４４４とが相互に当接する。この結果、この実施形態１にかかる段ボール箱用シート１、段ボール箱１００は、切断面４１７と端面４２４、４４４とが挿入部４２１、４４１の挿入方向に対して交差する方向に相互にずれるのを防止する。これにより、この実施形態１にかかる段ボール箱用シート１、段ボール箱１００は、図１４中の実線矢印に示すように、第３底面用蓋板４３に対して外側に位置する第１底面用蓋板４１の端面に力が作用したとしても、第１底面用蓋板４１が第３底面用蓋板４３に対して実線矢印方向にずれるのを防止することができる。
すなわち、この実施形態１にかかる段ボール箱用シート１、段ボール箱１００は、第１底面用蓋板４１の端面に力が作用したとしても、第１底面用蓋板４１の重合部４１０と第３底面用蓋板４３の重合部４３０との重合状態を維持することができる。したがって、この実施形態１にかかる段ボール箱用シート１、段ボール箱１００は、段ボール箱１００の底部４の閉塞状態を強固に維持することができる。
【００５３】
この実施形態１にかかる段ボール箱用シート１、段ボール箱１００は、挿入部４２１、４４１の挿入側端部に挿入用のガイド４２２、４２３、４４２、４４３を設けたものである。このために、この実施形態１にかかる段ボール箱用シート１、段ボール箱１００は、第２底面用蓋板４２、第４底面用蓋板４４の挿入部４２１、挿入部４４１を、切線４１５、４３４から、第１底面用蓋板４１、第３底面用蓋板４３の挿入受部４１４、４３３と重合部４１０、４３０以外の箇所（第１底面用蓋板４１、第３底面用蓋板４３）との間に、それぞれ容易にかつ確実に挿入する。これにより、この実施形態１にかかる段ボール箱用シート１、段ボール箱１００は、組立が非常に容易である。
【００５４】
この実施形態１にかかる段ボール箱用シート１、段ボール箱１００は、差込部４１１が第１底面用蓋板４１の重合部４１０の両端部にそれぞれ設けられていて、挿入受部４１４、４３３が２枚の第１底面用蓋板４１、第３底面用蓋板４３にそれぞれ２個ずつ設けられていて、挿入部４２１、４４１が残りの２枚の第２底面用蓋板４２、第４底面用蓋板４４にそれぞれ２個ずつ設けられている。この結果、この実施形態１にかかる段ボール箱用シート１、段ボール箱１００は、粘着テープや金具などを使用せずに、底部４の閉塞状態をさらに強固に維持することができる。
【００５５】
（実施形態２の構成の説明）
図１７〜図２０は、この発明にかかる段ボール箱用シート、段ボール箱の実施形態２を示す。以下、この実施形態２にかかる段ボール箱用シート、段ボール箱の構成について説明する。
【００５６】
図１７において、符号１Ａは、この実施形態２にかかる段ボール箱用シートであって、Ａ式段ボール箱用シートである。図１８において、符号１００Ａは、この実施形態２にかかる段ボール箱であって、Ａ式段ボール箱である。図１７〜図２０において、図１〜図１６と同符号は、同一のものを示す。
【００５７】
この実施形態２にかかる段ボール箱用シート１Ａは、第４天面用蓋板３４の一部に補強板３４２を設けたものである。すなわち、４枚の天面用蓋板３１〜３４のうち少なくとも１枚の第４天面用蓋板３４は、少なくとも１枚の補強板３４２を有する。
【００５８】
補強板３４２は、第４天面用蓋板３４の第４側板２４に対して反対側の縁部に、切線３４３および切取線３４４を介して切取可能に設けられている。補強板３４２は、箱に組み立てた時に切り取られて４枚の底面用蓋板４１〜４４により形成された底部４の内側に載置される。
切線３４３は、切取線３４４の両端に設けられている。切取線３４４は、この例では、切線部と接続部とが交互に連続するミシン目状をなす。
この実施形態２にかかる段ボール箱用シート１Ａは、前記の実施形態１にかかる段ボール箱用シート１のうち、箱に組み立てた時に相互に対向する２枚の天面用蓋板（第１天面用蓋板３１、第３天面用蓋板３３）の２個の挿入受部３１０、３３０の一方を省略する。なお、第２天面用蓋板３２においては、そのままである。
【００５９】
この実施形態２にかかる段ボール箱用シート１Ａは、前記の実施形態１にかかる段ボール箱用シート１のうち、箱に組み立てた時に相互に対向し、かつ、それぞれ２個の挿入受部４１４、４３３を有する２枚の底面用蓋板（第１底面用蓋板４１、第３底面用蓋板４３）の重合部４１０、４３０、差込部４１１、差込受部４３１をそれぞれ省略する。
なお、箱に組み立てた時に相互に対向し、かつ、それぞれ２個の挿入部４２１、４４３を有する２枚の底面用蓋板（第２底面用蓋板４２、第４底面用蓋板４４）においては、そのままである。
【００６０】
これにより、挿入受部４１４、４３３を有する２枚の底面用蓋板４１、４３の幅方向Ｗの長さＷ３の和と、２個の挿入部（４２１または４４１）を有する１枚の底面用蓋板（４２または４４）の流れ方向Ｘの長さＸ２とは、同等もしくはほぼ同等である。すなわち、Ｗ３＋Ｗ３＝Ｘ２（第１底面用蓋板４１の幅方向Ｗの長さＷ３＋第３底面用蓋板４３の幅方向Ｗの長さＷ３＝第２底面用蓋板４２の流れ方向Ｘの長さＸ２または第４底面用蓋板４４の流れ方向Ｘの長さＸ２）である。
【００６１】
この結果、この実施形態２にかかる段ボール箱用シート１Ａの４枚の底面用蓋板４１〜４４の構造および寸法（サイズ）は、既存（一般）の段ボール箱用シートの４枚の底面用蓋板の構造および寸法（サイズ）と同等もしくはほぼ同等である。
【００６２】
補強板３４２は、図２０に示すように、両端部分の幅（短辺の長さ）Ｔ１が中間部分の幅よりも若干小さいほぼ長方形形状をなす。なお、図１７に示すように、補強板３４２の長辺の長さは、第４天面用蓋板３４の流れ方向の長さＸ２と同等もしくはほぼ同等である。また、図１７に示すように、補強板３４２および第４天面用蓋板３４の幅方向Ｗの長さＷ３は、他の３枚の天面用蓋板３１〜３３の幅方向Ｗの長さＷ３と同等もしくはほぼ同等である。
【００６３】
箱に組み立てた時に相互に対向する２枚の底面用蓋板４１、４３の２個の挿入受部４１４、４３３の間（すなわち、第１底面用蓋板４１の２個の挿入受部４１４と第３底面用蓋板４３の２個の挿入受部４３３との間）には、それぞれ、寸法Ｔ２の隙間を有する。この寸法Ｔ２と、補強板３４２の一部である両端部分の幅Ｔ１とは、図１９、図２０に示すように、同等もしくはほぼ同等である。
【００６４】
図１７に示すように、第１底面用蓋板４１の流れ方向Ｘの２個の挿入受部４１４の間は、長さＸ３を有する。また、第３底面用蓋板４３の流れ方向Ｘの２個の挿入受部４３３の間も、同様に、長さＸ３を有する。箱に組み立てた時に相互に対向する２枚の底面用蓋板４１、４３の２個の挿入受部４１４、４３４の流れ方向Ｘの長さＸ３と、補強板３４２の長辺長さＸ２とは、同等もしくはほぼ同等である。
【００６５】
図１７に示すように、第１天面用蓋板３１の第１側板２１に対して反対側の縁で糊代板２５側の角部には、ガイド３１３が設けられている。また、第３天面用蓋板３３の第３側板２３に対して反対側の縁で第４天面用蓋板３４および補強板３４２側の角部には、ガイド３３３が設けられている。ガイド３１３、３３３は、傾斜をなす。
【００６６】
（段ボール箱１００Ａの組立の説明）
前記の構成からなるこの実施形態２にかかる段ボール箱用シート１Ａを、前記の実施形態１にかかる段ボール箱用シート１と同様に、組み立てることにより、前記の実施形態１にかかる段ボール箱１００と同様のこの実施形態２にかかる段ボール箱１００Ａが得られる。
【００６７】
ここで、図１８に示すように、補強板３４２と第４天面用蓋板３４との間の切取線３４４を切り、補強板３４２を第４天面用蓋板３４から切り取る。この補強板３４２の切取は、少なくとも、４枚の天面用蓋板３１〜３４から天部３を形成する前に行っておく。
【００６８】
切り取った補強板３４２を、４枚の底面用蓋板４１〜４４から形成された底部４の内側のほぼ中央に載置する。すなわち、図２０に示すように、補強板３４２の両端部を、箱に組み立てられた第１底面用蓋板４１の２個の挿入受部４１４と第３底面用蓋板４３の２個の挿入受部４３３との間に、それぞれ、圧入嵌合させる。
【００６９】
これにより、補強板３４２は、４枚の底面用蓋板４１〜４４から形成された底部４に固定される。底部４は、補強板３４２により、補強される。この段ボール箱１００Ａ内に収納物を収納して、４枚の天面用蓋板３１〜３４から天部３を形成する。この結果、この実施形態２にかかる段ボール箱１００Ａが組み立てられる。
【００７０】
（実施形態２の効果の説明）
この実施形態２にかかる段ボール箱用シート１Ａ、段ボール箱１００Ａは、以上のごとき構成からなるので、前記の実施形態１にかかる段ボール箱用シート１、段ボール箱１００と同様の効果を達成することができる。
【００７１】
特に、この実施形態２にかかる段ボール箱用シート１Ａ、段ボール箱１００Ａは、第４天面用蓋板３４の一部を利用して、底部４の内側のほぼ中央に補強板３４２として載置するものである。このために、この実施形態２にかかる段ボール箱用シート１Ａ、段ボール箱１００Ａは、底部４の内側のほぼ中央に載置した補強板３４２により、底部４において十分の強度が得られ、底部４の底抜け変形などを防止することができ、底部４の閉状態を維持することができる。
【００７２】
この実施形態２にかかる段ボール箱用シート１Ａ、段ボール箱１００Ａは、補強板３４２が箱に組み立てられた第１底面用蓋板４１の２個の挿入受部４１４と第３底面用蓋板４３の２個の挿入受部４３３との間に配置されるものである。すなわち、この実施形態２にかかる段ボール箱用シート１Ａ、段ボール箱１００Ａは、補強板３４２が２個の挿入受部４１４、４３３をそれぞれ有する２枚の底面用蓋板４１、４３を跨いだ状態で配置されている。
【００７３】
このために、この実施形態２にかかる段ボール箱用シート１Ａ、段ボール箱１００Ａは、４枚の底面用蓋板４１〜４４の構造および寸法を、既存（一般）の段ボール箱用シートの４枚の底面用蓋板の構造および寸法としても、２枚の底面用蓋板４１、４３を跨ぐ補強板３４２により、底部４において十分の強度が得られる。これにより、この実施形態２にかかる段ボール箱用シート１Ａ、段ボール箱１００Ａは、４枚の底面用蓋板４１〜４４の構造および寸法が既存（一般）の段ボール箱用シートの４枚の底面用蓋板の構造および寸法であっても、２枚の底面用蓋板４１、４３を跨ぐ補強板３４２により、底部４の底抜け変形などを防止することができ、底部４の閉状態を維持することができる。
【００７４】
この実施形態２にかかる段ボール箱用シート１Ａ、段ボール箱１００Ａは、箱に組み立てた時の２枚の底面用蓋板４１、４３の挿入受部４１４、４１３の間の寸法Ｔ２と、補強板３４２の一部である両端部分の幅Ｔ１とは、同等もしくはほぼ同等である。このために、この実施形態２にかかる段ボール箱用シート１Ａ、段ボール箱１００Ａは、補強板３４２の両端部が、箱に組み立てられた第１底面用蓋板４１の２個の挿入受部４１４と第３底面用蓋板４３の２個の挿入受部４３３との間に、それぞれ、圧入嵌合される。
【００７５】
これにより、この実施形態２にかかる段ボール箱用シート１Ａ、段ボール箱１００Ａは、補強板３４２を底部４の所定の位置に固定することができる。この結果、この実施形態２にかかる段ボール箱用シート１Ａ、段ボール箱１００Ａは、底部４の所定の位置に固定されている補強板３４２により、底部４の底抜け変形などを確実に防止することができ、底部４の閉状態を確実に維持することができる。
【００７６】
この実施形態２にかかる段ボール箱用シート１Ａ、段ボール箱１００Ａは、２枚の底面用蓋板４１、４３の２個の挿入受部４１４、４３４の流れ方向Ｘの長さＸ３と補強板３４２の長辺長さＸ２とが同等もしくはほぼ同等である。このために、この実施形態２にかかる段ボール箱用シート１Ａ、段ボール箱１００Ａは、補強板３４２の両端部が箱に組み立てた時の２枚の底面用蓋板４１、４３の挿入受部４１４、４１３の間に確実に位置する。これにより、この実施形態２にかかる段ボール箱用シート１Ａ、段ボール箱１００Ａは、補強板３４２を底部４の所定の位置に確実に固定することができる。
【００７７】
（実施形態１以外の例の説明）
なお、この実施形態１においては、底面用蓋板４１〜４４に、重合部４１０、４３０と、差込部４１１と、切線４１５、４３４を介しての挿入受部４１４、４３３と、挿入部４２１、４４１と、ガイド４２２、４２３、４４２、４４３とを、設けたものである。ところが、この発明においては、天面用蓋板３１〜３４に、重合部４１０、４３０と、差込部４１１と、切線４１５、４３４を介しての挿入受部４１４、４３３と、挿入部４２１、４４１と、ガイド４２２、４２３、４４２、４４３とを、設けたものであっても良い。この場合においては、天面用蓋板３１〜３４を簡単に開けることができない。これにより、高価な収納物（たとえば、高価な果物や高価な工業製品など）の盗難を防ぐことができる。
【００７８】
また、この実施形態１においては、第１底面用蓋板４１の重合部４１０の両端部に差込部４１１を設けたものである。ところが、この発明においては、第３底面用蓋板４３の重合部４３０の両端部に差込部４１１を設けたものであっても良い。
【００７９】
さらに、この実施形態１においては、差込部４１１を第１底面用蓋板４１の重合部４１０の両端部にそれぞれ設け、かつ、この実施形態１、２においては、挿入受部４１４、４３３を２枚の第１底面用蓋板４１、第３底面用蓋板４３にそれぞれ２個ずつ設け、挿入部４２１、４４１を残りの２枚の第２底面用蓋板４２、第４底面用蓋板４４にそれぞれ２個ずつ設けたものである。ところが、この発明においては、差込部４１１、挿入受部４１４、４３３、挿入部４２１、４４１の個数や形状や設ける位置などを特に限定しない。
【００８０】
さらにまた、この実施形態２においては、第４天面用蓋板３４に補強板３４２を設けたものである。ところが、この発明においては、４枚の天面用蓋板３１〜３４のうち少なくとも１枚の天面用蓋板に、少なくとも１枚の補強板３４２を設けたものであっても良い。
【００８１】
さらにまた、この実施形態１、２においては、Ａ式段ボール箱用シートおよびＡ式段ボール箱について説明するものである。ところが、この発明においては、他の形式の段ボール箱用シート、段ボール箱にも適用することができる。
【符号の説明】
【００８２】
１、１Ａ  段ボール箱用シート
１００、１００Ａ  段ボール箱
２  胴部（側部）
２１〜２４  側板
２５  糊代板
３  天部
３１〜３４  天面用蓋板
３１０、３３０  挿入受部
３１１、３３１  切線
３１２、３３２  折曲線
３１３、３３３  ガイド
３２０、３４０  溝
３２１、３４１  挿入部
３４２  補強板
３４３  切線
３４４  切取線
４  底部
３１〜３４  底面用蓋板
４１０、４３０  重合部
４１１  差込部
４１２  切線
４１３  折曲線
４３１  差込受部
４３２  溝
４１４、４３３  挿入受部
４１５、４３４  切線
４１６、４３５  折曲線
４１７  切断面（ずれ防止部）
４２０、４４０  凹部
４２１、４４１  挿入部
４２２、４２３、４４２、４４３  ガイド
４２４、４４４  端面（ずれ防止部）
５２、５３、５４、５７、５８  折曲線
５５、５６  溝
Ｔ１  幅
Ｔ２  寸法
Ｘ  流れ方向
Ｘ１、Ｘ２  長さ
Ｗ  幅方向
Ｗ１、Ｗ２、Ｗ３、Ｗ４  長さ
【図１】
2017100801.tif 000003
【図２】
2017100801.tif 000004
【図３】
2017100801.tif 000005
【図４】
2017100801.tif 000006
【図５】
2017100801.tif 000007
【図６】
2017100801.tif 000008
【図７】
2017100801.tif 000009
【図８】
2017100801.tif 000010
【図９】
2017100801.tif 000011
【図１０】
2017100801.tif 000012
【図１１】
2017100801.tif 000013
【図１２】
2017100801.tif 000014
【図１３】
2017100801.tif 000015
【図１４】
2017100801.tif 000016
【図１５】
2017100801.tif 000017
【図１６】
2017100801.tif 000018
【図１７】
2017100801.tif 000019
【図１８】
2017100801.tif 000020
【図１９】
2017100801.tif 000021
【図２０】
2017100801.tif 000022